(57)【要約】【課題】安定度、設計の自由度があり、簡易に本格的なドリップ式コーヒーをいれられるドリップバッグの提供。【解決手段】通水濾過性シート材料からなり、上端に開口部を有するドリップバッグ本体と、ドリップバッグ本体の表面に設けられた懸架部材とから構成され、前記の懸架部材は、前記のドリップバッグ本体の対向する両側面部の適宜位置の表面に固着される支持部と、カップの周縁部に係止するための掛止部とを備え、必要に応じ使用時にカップ周辺部の内縁に接するバッグ保持部を設けて、掛止部をコーヒーカップの周縁部に懸架させた状態で、ドリップバッグ本体上部の開口部から飲料抽出用液体を注ぐ構成とする。【選択図】　図１２
2004016280.tif 000002
【特許請求の範囲】
【請求項１】
通水濾過性シート材料からなり、上端に開口部を有するドリップバッグ本体と、ドリップバッグ本体の表面に設けられた懸架部材とから構成され、
前記の懸架部材は、前記のドリップバッグ本体の対向する両側面部の適宜位置の表面に固着される支持部と、カップの周縁部に係止するための掛止部とが、平面板状の懸架部材により一体となって形成され、掛止部を支持部から引き起こすことなくカップの周縁部に懸架させることができ、
前記の懸架部材は、少なくとも支持部の一部または全部においてドリップバッグ本体に固着され、掛止部をカップの周縁部に懸架させた使用状態において、前記の懸架部材がドリップバッグ本体上部の開口部を開口状態に保持しつつ、開口部から飲料抽出のための湯などの飲料抽出用液体を注ぐことが可能なことを特徴とする、ドリップバッグ。
【請求項２】
通水濾過性シート材料からなり、上端に開口部を有するドリップバッグ本体と、ドリップバッグ本体の表面に設けられた懸架部材とから構成され、
前記の懸架部材は、前記のドリップバッグ本体の対向する両側面部の適宜位置の表面に固着される支持部と、カップの周縁部に係止するための掛止部とが、平面板状の懸架部材により一体となって形成され、掛止部を支持部から引き起こすことなくカップの周縁部に懸架させることができ、
対向する両側面側の前記の懸架部材に連結されて、使用時にカップ周辺部の内縁に接するバッグ保持部が設けられ、
前記の懸架部材は、少なくとも支持部の一部または全部においてドリップバッグ本体に固着され、掛止部をカップの周縁部に懸架させた使用状態において、前記のバッグ保持部がドリップバッグ本体をカップ内の適宜位置に保持し、かつ前記の懸架部材がドリップバッグ本体上部の開口部を開口状態に保持しつつ、開口部から飲料抽出のための湯などの飲料抽出用液体を注ぐことが可能なことを特徴とする、ドリップバッグ。
【請求項３】
通水濾過性シート材料からなり、上端に開口部を有するドリップバッグ本体と、ドリップバッグ本体の表面に設けられた懸架部材とから構成され、
前記の懸架部材は、前記のドリップバッグ本体の対向する両側面部の適宜位置の表面に固着される支持部と、カップの周縁部に係止するための掛止部と、対向する両側面側の支持部に連結されて、使用時にカップ周辺部の内縁に接するバッグ保持部とを一体に備え、
前記の支持部と掛止部とは、平面板状の懸架部材により一体となって形成され、掛止部を支持部から引き起こすことなくカップの周縁部に懸架させることができ、
前記の懸架部材は、少なくとも支持部の一部または全部においてドリップバッグ本体に固着され、掛止部をカップの周縁部に懸架させた使用状態において、前記のバッグ保持部がドリップバッグ本体をカップ内の適宜位置に保持し、かつ前記の懸架部材がドリップバッグ本体上部の開口部を開口状態に保持しつつ、開口部から飲料抽出のための湯などの飲料抽出用液体を注ぐことが可能なことを特徴とする、ドリップバッグ。
【請求項４】
請求項２または３に記載の発明において、
前記のバッグ保持部は、対向する両側面側の支持部に連結される第一の折り曲げ部と、第二の折り曲げ部とを有することを特徴とする、ドリップバッグ。
【請求項５】
請求項２または３に記載の発明において、
前記のバッグ保持部は、対向する両側面側の掛止部に連結される第一の折り曲げ部と、第二の折り曲げ部とを有することを特徴とする、ドリップバッグ。
【請求項６】
請求項５に記載の発明において、
対向する両側面側の掛止部に連結される第一の折り曲げ部は、前記の掛止部に接して固着されることを特徴とする、ドリップバッグ。
【請求項７】
請求項１〜６に記載の発明において、
前記の掛止部は、カップの周縁部に掛止するための切り欠き部を有することを特徴とする、ドリップバッグ。
【請求項８】
請求項７に記載の発明において、
掛止部が備える前記の切り欠き部は、ドリップバッグ本体に対する切り欠きの上端の上下方向における位置関係により、掛止部をカップの周縁部に懸架させた使用状態において、ドリップバッグ本体をカップ内の上下方向における適宜位置に保持するように設けられたことを特徴とする、ドリップバッグ。
【請求項９】
請求項１〜８に記載の発明において、
前記の掛止部に設けられる切り欠き部は、掛止部の下方に、ドリップバッグ本体の開口部に対し垂直以外の角度を有して切り欠きが設けられ、
掛止部をカップの周縁部に懸架させ、ドリップバッグ本体を垂直に保持した場合よりもカップの底部から離れて保持した状態で、ドリップバッグ本体上部の開口部から飲料抽出のための湯などを注ぐことが可能なことを特徴とする、ドリップバッグ。
【請求項１０】
請求項１〜９に記載の発明において、
ドリップバッグ本体内に所定量のコーヒー粉などの飲料抽出原料が充填され、袋本体の上端が閉じられていることを特徴とする、ドリップバッグ。
【請求項１１】
請求項１〜１０に記載の発明において、
ドリップバッグ本体の上端部にミシン目が施され、開口容易となっていることを特徴とする、ドリップバッグ。
【請求項１２】
請求項１〜１１に記載の発明において、
前記の懸架部材は、前記の掛止部とは反対の支持部の側において、ドリップバッグ本体の両面にそれぞれ固着された両面の支持部が連結されていることを特徴とする、ドリップバッグ。
【請求項１３】
請求項２〜１２に記載の発明において、
バッグ保持部が、ドリップバッグの掛止部とは水平方向で反対の側においても設けられたことを特徴とする、ドリップバッグ。
【請求項１４】
請求項１〜１３に記載の発明において、
切り欠き部を備える掛止部が、３箇所以上備えられたことを特徴とする、ドリップバッグ。
【発明の詳細な説明】
【０００１】
【発明の属する技術分野】
本発明は、ドリップ式の飲料抽出のためのドリップバッグに関し、特にカップ等の容器に懸架して、湯を注ぐことにより容易にドリップ式コーヒーや、茶などの飲料を抽出していれることのできるものである。
【０００２】
【従来の技術】
コーヒーや茶などの飲料のいれ方の代表的なものとしてドリップ式が知られている。ドリップ式は、綿ネル等の布製のこし袋に用量のコーヒー粉や茶の葉を入れ、熱湯を静かに注ぎ、４〜５分程度で浸出液をこし取るという方法である。ドリップ式においては、まず、熱湯でコーヒー粉や茶の葉など全体を蒸らし、均等かつ十分に膨潤させ、その後全体に徐々にあるいは数回に分けて注湯する。
ドリップ式は、比較的簡便に美味しいコーヒーなどの飲料を得る方法として普及しているが、そこで使用する布製のこし袋について取扱が繁雑であり、近年では布製のこし袋に代えて濾紙や不織布等の使い捨てフィルターが多く用いられている。
【０００３】
ところで、家庭にもインスタントコーヒーではない、本格的なコーヒーメーカーなどが普及してきているが、ドリップ式のコーヒーなどの飲料を本格的にいれるためには、専用の抽出器具をそろえなければならないほか、コーヒーフィルター、コーヒー豆やこれを挽いたコーヒー粉などをそろえなければならない。また、コーヒーなどの飲料をいれた後には器具を洗ったり、それなりの手間を掛けなければならない。手間を惜しむ消費者は、本格的なドリップ式コーヒーその他の飲料の味覚と香りを気軽に楽しむことはできない。
【０００４】
【発明が解決しようとする課題】
そこでこのような課題を解決するために、１回分のコーヒー粉を入れたドリップバッグや、日本茶・紅茶などの茶、その他の飲料を、特別な器具を必要とすることなくカップに懸架して、ドリップバッグの開口部から湯を注ぐことにより、ドリップ式コーヒーなどの飲料をいれられるような方式が開発されている。このようなドリップバッグを利用すれば、飲料を入れた後にはドリップバッグをそのまま捨てればすむために手間もかからない。
【０００５】
たとえば、実用新案登録第２５０５９５９号「抽出バッグ」においては、カップなどの容器に安定して懸架し、湯などの抽出液を注加することのできる抽出バッグが開示されている。
ここに開示されている従来のドリップバッグは、図３４に示すようなものである。
上端に開口部を有する袋本体と、袋本体の両面にそれぞれ１個ずつ固定された一対の係止部材とを有し、係止部材は袋本体に貼着固定された一対の支持体と、この一対の支持体により引き起こし可能に支持され、係止用凹部を有する一対の係止片とから構成されている。係止片は、支持体から伸び出ている連続部を介して支持体に連続しており、支持体から引き起こされた係止片が外側に伸び出してカップに懸架されるというものである。
【０００６】
また同じ方式のドリップバッグとして、特許第２８８８５７８号「抽出バッグ」があるが、これも下記のような構成を有している。
通水濾過性シート材料からなり、互いに対向する前後両面部を有し、かつ上端に開口部を有する袋本体と、前記袋本体の前後両面部の、前記上端開口部の下に固定されていて、前記上端開口部を開口したとき、前記袋本体を開口状態に保持する保形部材と、前記保形部材の一部分により形成され、かつ前記保形部材から引き起すことができる係止部材とを含んで構成されている。
ここに開示されている従来のドリップバッグは、図３５に示すようなものである。
【０００７】
ところで、従来のドリップバッグは、上記２件のいずれを見ても、カップに懸架する係止部材を、支持体から引き起こすようにされている。係止部材を引き起こして使用する際には、ドリップバッグの袋本体に固着されている支持体には、係止部材が繰り抜かれた穴が開いている。
この方式においては、コーヒー、茶などの飲料をいれるために使用する際には、第一に、２つの係止部材を反対側に引き起こして、これをカップの縁に掛けるという手順を経るので、その使用法を使用者に説明するためには図で説明しなければならず、それも望ましくは３枚程度の図によって手順を説明しなければならない。直感的に使用法を説明することが難しいためである。
さらに、支持体から係止部材を繰り抜くようにして引き起こす際に、誤って袋本体を破ってしまうおそれもある。
【０００８】
また、この方式においては第二には、係止部材を引き起こして使用する際には、ドリップバッグの袋本体に固着されている支持体には、係止部材が繰り抜かれた穴が開いてしまうので、図３５にも示されるように、残った支持体の、コーヒーバッグ本体に固着する面積が小さくなってしまう。これは、上の開口部から湯を注いで使用する際に、袋本体の安定性を損ないかねずこれを損なわないためには支持体の素材の強度や、袋本体との固着の強度を高める必要が生じる。特に湯を注いだ後にはコーヒー粉が水分を含み、重くなり、しかも注がれる湯の勢いを受けなければならないからである。また袋本体は薄手の柔軟な素材であり、これを支持する支持体が不可欠だからである。
【０００９】
さらに、カップに懸架する懸架部材を繰り抜いた後に、袋本体の安定性を高める支持体が残らなければならないために、支持体の形状に制約が生まれ、設計・製造の自由度が損なわれる。
また、図３４、図３５からも明らかなように、懸架部材を繰り抜かれた後に、繰り抜かれた穴の回りに細く支持体が残るので、細い支持体部分を袋本体に固着させるために、固着の工程や固着設備・手法の点においても制約が生まれ、自由度が損なわれる。
【００１０】
そこで、上記の様々な課題を解決するため、本発明の第一の目的は、特別な器具を必要とすることなくカップに懸架して、開口部から湯を注ぐことにより、ドリップ式コーヒーなどの飲料を抽出することが可能であり、使用する際に係止部材を反対側に引き起こすことなく、複雑な作業や細かい手順を経ずに、直感的に使用法がわかるドリップバッグを提供することである。
【００１１】
さらに本発明の第二の目的は、ドリップバッグの袋本体に固着されている支持体に係止部材が繰り抜かれた穴が開いてしまうことを防ぎ、残った支持体の、ドリップバッグ本体に固着する面積を自由に設計できるようにして、上の開口部から湯を注いで使用する際に袋本体の安定性を保つドリップバッグを提供することである。
これにより、本発明のドリップバッグにおいては、支持体の形状に制約が生まれることなく、さらに固着の工程や固着設備・手法の点においても制約が生まれることがない。
さらに使用状態においては、ドリップバッグ上部の開口部を開口した状態を保持させつつ安定させた状態を保てるようにする。
さらに本発明においては、ドリップバッグをより安定的に保持するための、後述するバッグ保持部を設けることとすれば、単にドリップバッグを安定させるのみならず、熱湯の注がれるドリップバッグ本体とカップとが直接接することがなくなるので、熱でガラスのカップが割れたりすることを防ぐ。
【００１２】
ところで、本来のドリップ式コーヒーなどの飲料のいれ方に沿って注湯工程を行い、良好な香味のコーヒーなどの浸出液を得るためには、湯を注いで飲料を抽出する際に、袋本体が抽出された液体に浸らないようにすることが望まれる。
従来のドリップバッグにおいては、前述のように支持体の設計の自由度が制約されていたために、こうした課題を解決するためには下記の方法をとらざるを得なかった。
【００１３】
たとえば特開平１０−１４７７１「コーヒードリップバッグ」は、上端に開口部を有する袋本体と、袋本体の表面に設けられた係止部材とからなり、係止部材は引き起こし可能に形成された係止片と、袋本体の表面に固着され係止片を支持する支持体とからなり、係止片は、引き起こされた状態でカップの上縁部に係止する係止用凹部を有し、かつその係止用凹部の上端が、袋本体の下半分側に位置している、というものである。
すなわち、図３６に示されるように、支持体を含む係止部材全体を袋本体の下方に固着させることにより、袋本体をカップに浸らないように上方向に持ち上げるという形態をとっている。
【００１４】
しかしながら、この方式によれば、図３６からも明らかなように、袋本体の上半分には袋を支える支持体がなくなってしまう。これでは現実には、湯を注いだ後にはコーヒー粉が水分を含み、重くなり、しかも注がれる湯の勢いを受けなければならず、薄手の柔軟な袋本体を支えることは困難である。湯が注ぎやすいように開口部を開いた状態で維持させることも困難である。
さらに、従来の様々なドリップバッグにおいては、使用状態において、ドリップバッグ本体が、カップに懸架される係止部材とは反対の側に倒れたり、重みにより垂れ下がったりしてしまう。
そこで、本発明のさらなる目的は、使用状態においてドリップバッグを保持するバッグ保持部を設けることにより、ドリップバッグ本体をカップ内の適宜位置に保持し、掛止部とは反対の側に倒れたり、重みにより垂れ下がったりすることを防ぎ、垂直またはそれに近い状態に保持することである。
【００１５】
また、本発明のさらなる目的は、前述の設計の自由度を生かして、たとえば、コーヒーカップに懸架される掛止部分を袋本体の下方に位置するように設けて、これにより袋の上下方向の位置を支えるとともに、袋本体を支える支持部分を袋本体の上方に位置するように設けて、袋本体を支えるといったような、自由な設計により前記の課題を解決することである。
さらに本発明の他の目的は、ドリップバッグの袋本体の両側面以外にも、ドリップバッグを支持する部材を設けたり、様々な形状に応用できるドリップバッグを提供することにより、前記の様々な課題を解決することである。
【００１６】
【課題を解決するための手段】
上記課題を解決するため、請求項１に記載の発明は、
通水濾過性シート材料からなり、上端に開口部を有するドリップバッグ本体と、ドリップバッグ本体の表面に設けられた懸架部材とから構成され、
前記の懸架部材は、前記のドリップバッグ本体の対向する両側面部の適宜位置の表面に固着される支持部と、カップの周縁部に係止するための掛止部とが、平面板状の懸架部材により一体となって形成され、掛止部を支持部から引き起こすことなくカップの周縁部に懸架させることができ、
前記の懸架部材は、少なくとも支持部の一部または全部においてドリップバッグ本体に固着され、掛止部をカップの周縁部に懸架させた使用状態において、前記の懸架部材がドリップバッグ本体上部の開口部を開口状態に保持しつつ、開口部から飲料抽出のための湯などの飲料抽出用液体を注ぐことが可能なことを特徴とするドリップバッグである。
【００１７】
また、上記課題を解決するため、請求項２に記載の発明は、
通水濾過性シート材料からなり、上端に開口部を有するドリップバッグ本体と、ドリップバッグ本体の表面に設けられた懸架部材とから構成され、
前記の懸架部材は、前記のドリップバッグ本体の対向する両側面部の適宜位置の表面に固着される支持部と、カップの周縁部に係止するための掛止部とが、平面板状の懸架部材により一体となって形成され、掛止部を支持部から引き起こすことなくカップの周縁部に懸架させることができ、
対向する両側面側の前記の懸架部材に連結されて、使用時にカップ周辺部の内縁に接するバッグ保持部が設けられ、
前記の懸架部材は、少なくとも支持部の一部または全部においてドリップバッグ本体に固着され、掛止部をカップの周縁部に懸架させた使用状態において、前記のバッグ保持部がドリップバッグ本体をカップ内の適宜位置に保持し、かつ前記の懸架部材がドリップバッグ本体上部の開口部を開口状態に保持しつつ、開口部から飲料抽出のための湯などの飲料抽出用液体を注ぐことが可能なことを特徴とするドリップバッグである。
【００１８】
また、上記課題を解決するため、請求項３に記載の発明は、
通水濾過性シート材料からなり、上端に開口部を有するドリップバッグ本体と、ドリップバッグ本体の表面に設けられた懸架部材とから構成され、
前記の懸架部材は、前記のドリップバッグ本体の対向する両側面部の適宜位置の表面に固着される支持部と、カップの周縁部に係止するための掛止部と、対向する両側面側の支持部に連結されて、使用時にカップ周辺部の内縁に接するバッグ保持部とを一体に備え、
前記の支持部と掛止部とは、平面板状の懸架部材により一体となって形成され、掛止部を支持部から引き起こすことなくカップの周縁部に懸架させることができ、
前記の懸架部材は、少なくとも支持部の一部または全部においてドリップバッグ本体に固着され、掛止部をカップの周縁部に懸架させた使用状態において、前記のバッグ保持部がドリップバッグ本体をカップ内の適宜位置に保持し、かつ前記の懸架部材がドリップバッグ本体上部の開口部を開口状態に保持しつつ、開口部から飲料抽出のための湯などの飲料抽出用液体を注ぐことが可能なことを特徴とするドリップバッグである。
【００１９】
また、上記課題を解決するため、請求項４に記載の発明は、
請求項２または３に記載の発明において、
前記のバッグ保持部は、対向する両側面側の支持部に連結される第一の折り曲げ部と、第二の折り曲げ部とを有することを特徴とするドリップバッグである。
【００２０】
また、上記課題を解決するため、請求項５に記載の発明は、
請求項２または３に記載の発明において、
前記のバッグ保持部は、対向する両側面側の掛止部に連結される第一の折り曲げ部と、第二の折り曲げ部とを有することを特徴とするドリップバッグである。
【００２１】
また、上記課題を解決するため、請求項６に記載の発明は、
請求項５に記載の発明において、
対向する両側面側の掛止部に連結される第一の折り曲げ部は、前記の掛止部に接して固着されることを特徴とするドリップバッグである。
【００２２】
また、上記課題を解決するため、請求項７に記載の発明は、
請求項１〜６に記載の発明において、
前記の掛止部は、カップの周縁部に掛止するための切り欠き部を有することを特徴とするドリップバッグである。
【００２３】
また、上記課題を解決するため、請求項８に記載の発明は、
請求項７に記載の発明において、
掛止部が備える前記の切り欠き部は、ドリップバッグ本体に対するの切り欠きの上端の上下方向における位置関係により、掛止部をカップの周縁部に懸架させた使用状態において、ドリップバッグ本体をカップ内の上下方向における適宜位置に保持するように設けられたことを特徴とするドリップバッグである。
【００２４】
また、上記課題を解決するため、請求項９に記載の発明は、
請求項１〜８に記載の発明において、
前記の掛止部に設けられる切り欠き部は、掛止部の下方に、ドリップバッグ本体の開口部に対し垂直以外の角度を有して切り欠きが設けられ、
掛止部をカップの周縁部に懸架させ、ドリップバッグ本体を垂直に保持した場合よりもカップの底部から離れて保持した状態で、ドリップバッグ本体上部の開口部から飲料抽出のための湯などを注ぐことが可能なことを特徴とするドリップバッグである。
【００２５】
また、上記課題を解決するため、請求項１０に記載の発明は、
請求項１〜９に記載の発明において、
ドリップバッグ本体内に所定量のコーヒー粉などの飲料抽出原料が充填され、袋本体の上端が閉じられていることを特徴とするドリップバッグである。
【００２６】
また、上記課題を解決するため、請求項１１に記載の発明は、
請求項１〜１０に記載の発明において、
ドリップバッグ本体の上端部にミシン目が施され、開口容易となっていることを特徴とするドリップバッグである。
【００２７】
また、上記課題を解決するため、請求項１２に記載の発明は、
請求項１〜１１に記載の発明において、
前記の懸架部材は、前記の掛止部とは反対の支持部の側において、ドリップバッグ本体の両面にそれぞれ固着された両面の支持部が連結されていることを特徴とするドリップバッグである。
【００２８】
また、上記課題を解決するため、請求項１３に記載の発明は、
請求項２〜１２に記載の発明において、
バッグ保持部が、ドリップバッグの掛止部とは水平方向で反対の側においても設けられたことを特徴とするドリップバッグである。
【００２９】
また、上記課題を解決するため、請求項１４に記載の発明は、
請求項１〜１３に記載の発明において、
切り欠き部を備える掛止部が、３箇所以上備えられたことを特徴とするドリップバッグである。
【００３０】
【発明の実施の形態】
以下、本発明の実施例を図面に基づいて具体的に説明する。なお、各図中、同一符号は同一又は同等の構成要素を表している。
【００３１】
（第一の実施形態）
本発明の第一の実施形態は、請求項１に記載した、本発明のドリップバッグの基本的な形態である。
本発明のドリップバッグは通水濾過性シート材料からなり、上端に開口部を有するドリップバッグ本体と、ドリップバッグ本体の表面に設けられた懸架部材とから構成されている。
前記の懸架部材は、前記のドリップバッグ本体の対向する両側面部の適宜位置の表面に固着される支持部と、カップの周縁部に係止するための掛止部とを一体に備えている。
図１は、本発明のドリップバッグを構成する、ドリップバッグ本体の表面に設けられる懸架部材を示す。図１においては、通水濾過性シート材料からなるドリップバッグ本体の両側面に設けられる２片の懸架部材を示している。
図１において、符号２は懸架部材、２１は支持部、２２は掛止部、２２０は切り欠き部を示している。
【００３２】
ドリップバッグ本体１の表裏の適宜の位置には、望ましくは対称的に、紙、プラスチックシート等の薄板状材料からなる懸架部材２が貼着、熱圧着、その他の固定方法により固定されて設けられている。
前記の支持部２１および掛止部２２は、平面板状の懸架部材により一体となって構成されることが望ましい形態であるが、懸架部材２の形状は図面に示した以外にも様々な形態を採用することができる。
前記の懸架部材２は、少なくとも掛止部がドリップバッグ本体に固着されない構成を有しており、支持部２１は、その一部又は全部においてドリップバッグ本体に固着されている。懸架部材は、前記のドリップバッグ本体の対向する両側面部の適宜位置の表面に固着される支持部２１と、カップの周縁部に係止するための掛止部２２とが、平面板状の懸架部材により一体となって形成され、掛止部２２を支持部２１から引き起こすことなくカップの周縁部に懸架させることができる。
【００３３】
図２は、懸架部材２がドリップバッグ本体１の表面に設けられたドリップバッグ全体の右側面図および左側面図である。符号１はドリップバッグ本体を示している。
ドリップバッグ本体は、通水濾過性シート材料からなる袋状のものであり、通水濾過性シート材料の一例としては不織布などの素材があげられる。
【００３４】
また、ドリップバッグ本体１を形成する通水濾過性シート材料としては、所定量のコーヒー粉などを充填し、注湯した場合にコーヒーの浸出が可能であるものを種々使用することができる。たとえば、ポリエステル、ナイロン、ポリエチレン、ポリプロピレン、ビニロン等の合成繊維やレーヨン等の半合成繊維、コウゾ、ミツマタ等の天然繊維の単独又は複合繊維からなる織布あるいは不織布、マニラ麻、木材パルプ、ポリプロピレン繊維等からなる混抄紙等、ティーバッグ原紙等紙類を使用することができる。
また、通水濾過性シート材料としては、複数の異なる層からなる積層材料を使用してもよい。たとえば、１層目がポリエステル、２層目がレギュラーポリエステルと低融点ポリエステルとの混抄紙、３層目がポリプロピレンの極細繊維からなるメルトブロー不織布からなる３層構造のシート材料は、味、香り、風味、抽出時間の点で好ましい。
【００３５】
また図面においては、ドリップバッグ本体はマチのない形状を示しているが、必ずしもこの形状には限定されず、たとえばマチがある形状、全体が直方体で底面が長方形になるような立体的な形状，などのドリップバッグ本体を用いることもできる。
【００３６】
図３は、ドリップバッグ本体１の袋状の内部に、所定量のコーヒー粉などの飲料抽出原料が充填されているドリップバッグを示している。符号４はコーヒー粉などの飲料抽出原料である。
ドリップバッグ本体の上端は、開封する前にはコーヒー粉４をなど封止するために、使用前には閉じられている。ドリップバッグ本体１内に所定量のコーヒー粉などを充填後、接着剤あるいは熱接着により封じられるが、たとえばドリップバッグ本体の上端部にミシン目が施され、これを切り離すことにより開口容易となる。あるいは袋本体の表裏の矩形面を容易に剥がすことができるように熱接着の接着強度を調整してもよい。
図４は、開口したドリップバッグを上部の開口部から見下ろした平面図である。
所定量のコーヒー粉がドリップバッグ本体１に充填されており、そのドリップバッグ本体１の上端が閉じられている使用前のドリップバッグの本体１の上端を開いて開口部を形成し、掛止部２２をカップに掛止させ、ドリップバッグ本体１内に注湯すると、コーヒー粉などに注湯当初の蒸らしと膨潤の工程をふませ、徐々にあるいは数回に分けて注湯して浸出液をカップ底部に滴下させることが可能となる。
また、使用前のドリップバッグ上端の、開口するためにミシン目などから切り取られる部分と、同位置にミシン目などが入れられた懸架部材２とを一体に固着して、開口する切り口を形成することもできる。
【００３７】
次に、本発明のドリップバッグの第一の実施形態の使用状態について説明する。
図５は、開口したドリップバッグの使用状態を、上部の開口部から見下ろした平面図である。
また図６は、開口したドリップバッグの使用状態を、斜め上方向から見下ろした斜視図である。符号５はコーヒーカップなどのカップを示している。
懸架部材は、少なくとも支持部２１の一部または全部においてドリップバッグ本体１に固着され、掛止部２２をカップの周縁部に懸架させた使用状態において、前記の懸架部材がドリップバッグ本体１上部の開口部を開口状態に保持しつつ、開口部から飲料抽出のための湯などの飲料抽出用液体を注ぐことが可能なことを特徴とする。
【００３８】
ドリップバッグ本体１は、図５および図６に示すように、掛止部２２に切り欠き部２２０が設けられており、コーヒー粉４などの飲料抽出原料を充填した袋状の部分がカップ５の内側に納まるように、切り欠き部２２０をカップ５の周縁部に懸架することにより、ドリップバッグ本体１がカップ５内部の中空に保持される。
懸架部材２は、支持部２１においてドリップバッグ本体１と固着されている。掛止部２２はドリップバッグ本体とは固着されていないので、図５に示すように２片の懸架部材をカップの周縁部に懸架することにより、容易に保持させることができる。
【００３９】
（第二の実施形態）
次に、本発明の第二の実施形態について説明する。
本発明の第二の実施形態は、請求項３に記載した、本発明のドリップバッグの別の基本的な形態である。
図７は、ドリップバッグ本体１の表面に設けられた懸架部材を示す図である。この場合にも本発明のドリップバッグは、通水濾過性シート材料からなり、上端に開口部を有するドリップバッグ本体１と、ドリップバッグ本体１の表面に設けられた懸架部材２とから構成されている。
前記の懸架部材は、前記のドリップバッグ本体の対向する両側面部の適宜位置の表面に固着される支持部２１と、カップの周縁部に係止するための掛止部２２とを備えるほか、さらに対向する両側面側の掛止部２２に連結されて、使用時にカップ周辺部の内縁に接するバッグ保持部２３とを一体に備えている。
バッグ保持部２３が備えられた点で請求項１に記載の発明を応用したものである。またバッグ保持部２３が懸架部材２と一体に備えられている点に特徴を有する。
前記の支持部２１と掛止部２２とは、平面板状の懸架部材により一体となって形成されている。このため、掛止部２２を支持部２１から引き起こすことなくカップの周縁部に懸架させることができる。
掛止部２２をカップの周縁部に懸架させた状態で、ドリップバッグ本体１上部の開口部から飲料抽出のための湯などを注ぐことが可能にされている。
【００４０】
図８は、懸架部材２がドリップバッグ本体１の表面に設けられたドリップバッグ全体の右側面図および左側面図である。バッグ保持部２３は、前記の第一および第二の折り曲げ部により図１０のように折りたたまれているので、切り欠き部２２０の後方にわずかに見える以外は図８においては隠れている。
図９は、開口した第二の実施形態のドリップバッグを上部の開口部から見下ろした平面図である。符号４はコーヒー粉などである。
【００４１】
望ましい形態の一例としては、前記のバッグ保持部２３は、対向する両側面側の掛止部２２に連結される第一の折り曲げ部２２１と、第二の折り曲げ部２２２とを有している。この場合の折り曲げた状態を図９および図１０に示す。
また掛止部２２は図９、図１０に示されるように折り曲げられるので、これに対応して切り欠き部２２０はそれぞれ２か所ずつ設けられている。
【００４２】
一方、望ましい別の形態の一例としては、請求項６に記載したように、対向する両側面側の掛止部２２に連結される第一の折り曲げ部は、掛止部２２に接して固着されるように形成してもよい。
この場合の折り曲げた状態を図１２および図１３に示す。
このようにすれば、切り欠き部２２０はそれぞれ１か所ずつ設けることでよい。
【００４３】
次に、本発明のドリップバッグの第二の実施形態の使用状態について説明する。
図１０は、開口したドリップバッグの使用状態を、上部の開口部から見下ろした平面図である。
また図１１は、開口した第二の実施形態のドリップバッグの使用状態を、斜め上方向から見下ろした斜視図である。符号５はカップを示している。
掛止部をカップの周縁部に懸架させた状態で、ドリップバッグ本体上部の開口部から飲料抽出のための湯などを注ぐことが可能にされている。
懸架部材２は、少なくとも掛止部２２がドリップバッグ本体に固着されない構成を有し、支持部２１の一部又は全部とにおいてドリップバッグ本体に固着されている。
ドリップバッグ本体１は、図１１において、コーヒー粉など４を充填した袋状の部分がカップ５の内側に納まるように、掛止部２２をカップ周縁部に懸架する。掛止部２２には、それぞれ切り欠き部２２０が設けられており、切り欠き部２２０をカップ５の周縁部に懸架することにより、ドリップバッグ本体１がカップ５内部の中空に保持される。
懸架部材２は、支持部２１においてドリップバッグ本体１と固着されている。掛止部２２はドリップバッグ本体とは固着されていないので、図１１に示すように懸架部材の２片の掛止部２２をカップの周縁部に懸架することにより、容易に保持させることができる。
【００４４】
また、バッグ保持部２３の一部または全部とにおいてドリップバッグ本体に固着されるようにすることができる。
バッグ保持部２３は、図１１に示すようにカップ５の周縁部内側に位置するので、しかも第一の折り曲げ部２２１がカップ５の周縁部内面に接触するように位置するので、ドリップバッグ本体１をより強固に保持することができる。
前記のバッグ保持部２３がドリップバッグ本体１をカップ内の適宜位置に保持し、特にバッグ保持部２３に設けられる第一の折り曲げ部２２１がカップの縁に接することにより保持される。
ドリップバッグ本体が、カップに懸架される掛止部２２とは反対の側に倒れたり、重みにより垂れ下がったりすることを防ぎ、垂直またはそれに近い状態に保持することができる。
また、単にドリップバッグを安定させるのみならず、熱湯の注がれるドリップバッグ本体とカップとが直接接することがなくなるので、熱でグラスのカップが割れたりすることを防ぐ効果が生じる。
【００４５】
なお、支持部２１、掛止部２２を含む懸架部材は、本発明のいずれの実施形態においても、その大きさ、形状、ドリップバッグ本体１への取り付け位置などを、様々に構成することができる。
たとえば図２、および図８においては、それぞれ、前記した第一の実施形態、第二の実施形態における懸架部材２をドリップバッグ本体１に設けた側面図を示しているが、使用前の状態において、懸架部材２がドリップバッグ本体１の側面の領域内に収まるように取り付けられている。
一方、図１４は、別の実施形態における懸架部材をドリップバッグ本体１に設けた側面図を示しているが、使用前の状態において、懸架部材２がドリップバッグ本体１の側面の領域からはみ出すように取り付けられており、図１４では掛止部の一部がドリップバッグ本体１の側面の領域からはみ出している例を示している。
図１４に一例を示す形態を採用した場合には特に、掛止部２２の大きさがドリップバッグ本体１の大きさには制約されていないので、掛止部２２の紙の量を多くして掛止部２２をより強固にしたり、掛止部２２をカップの周縁部に掛ける作業を片手でもできるほどにわかりやすく簡易にしたりすることができる。紙などの資材の量を多くするといっても、従来の様々なドリップバッグと比べても資材が特に多く必要になるわけでもない。
また、図１４に一例を示す形態を採用した場合には特に、掛止部２２の大きさがドリップバッグ本体１の大きさには制約されていないので、掛止部２２に設けられた切り欠き部２２０の位置を下方に設けることにより、切り欠き部２２０をカップの周縁部に懸架した際にはドリップバッグ１全体が上方に持ち上げられて保持されることとなり、ドリップバッグ本体１が抽出されたカップ内の飲料には浸かりにくくなる。
【００４６】
（第三の実施形態）
次に、本発明の第三の実施形態について説明する。
本発明の第三の実施形態は、請求項２に記載した、本発明のドリップバッグの別の基本的な形態である。
バッグ保持部２３が備えられた点で請求項１に記載の発明を応用したものである。またバッグ保持部２３が懸架部材２とは製造時などには必ずしも一体に形成されていなくてもよく、製造後に、懸架部材２と連結されるか、または懸架部材２とは連結されなくてもドリップバッグ本体１に固着されてもよい。
バッグ保持部２３を設けた実施形態において、バッグ保持部２３は、支持部２１および掛止部２２が一体となった懸架部材２とは別個の部材から構成され、貼付、熱圧着その他の取り付け方法により設けられた形態を採用することもできる。
この場合にもドリップバッグは、通水濾過性シート材料からなり、上端に開口部を有するドリップバッグ本体１と、ドリップバッグ本体の表面に設けられた懸架部材２とから構成されている。また懸架部材２は、前記のドリップバッグ本体１の対向する両側面部の適宜位置の表面に固着される支持部２１と、カップの周縁部に係止するための掛止部２２とが、平面板状の懸架部材２により一体となって形成されている。そのため、掛止部２２を支持部２１から引き起こすことなくカップの周縁部に懸架させることができることは第二の実施形態において説明したことと同様である。
図１５は第三の実施形態における懸架部材２およびバッグ保持部２３の、取り付けられる前の製造工程における一例を示し、図１６は取り付けられた後の形態を示す斜視図である。
対向する両側面側の懸架部材２に連結されて、使用時にカップ周辺部の内縁に接するバッグ保持部２３が設けられている。
第二の実施形態においては、バッグ保持部２３は掛止部２２と製造工程においても一体となった資材を用いていたために、折り曲げ部を設ける折り曲げ加工をすることにより、掛止部２２の部分は折り曲げられた紙などの資材が二重に重なって構成されていた。これに対し第三の実施形態においては、バッグ保持部２３は元々は別個の資材から形成されているために、糊代などの懸架部材への取り付け部分を除いては、掛止部２２の部分は折り曲げられた紙などの資材が二重に重なることもなく、したがって少ない資材で製造し、構成することができる。
本実施形態においても、掛止部２２をカップの周縁部に懸架させた使用状態において、前記のバッグ保持部２３がドリップバッグ本体１をカップ内の適宜位置に保持し、かつ前記の懸架部材２がドリップバッグ本体１上部の開口部を開口状態に保持しつつ、開口部から飲料抽出のための湯などの飲料抽出用液体を注ぐことが可能である。
【００４７】
（第四の実施形態）
次に、本発明のドリップバッグの第四の実施形態の使用状態について説明する。
本発明の第四の実施形態は、請求項４に記載の発明である。
バッグ保持部２３は、対向する両側面側の支持部２１に連結される第一の折り曲げ部と、第二の折り曲げ部とを有し、バッグ保持部２３が支持部２１に直接連結されていることを特徴とする。
図１７は第四の実施形態における懸架部材２およびバッグ保持部２３の、取り付けられる前の製造工程における平面図の一例を示している。
図１８および図１９は、ドリップバッグ本体１に懸架部材およびバッグ保持部２３が設けられた状態の一例を示す側面図である。
図１８および図１９において、点線で示される線は折り曲げ線である。また図１７、図１８および図１９において、掛止部２２とバッグ保持部２３との境界の実線は、切れ込みによりあらかじめ切断されて形成されている線である。また図１７において、両側面の掛止部２２同士の境界の実線は、切れ込みによりあらかじめ切断されて形成されている線である。
本実施形態においては、バッグ保持部２３は、対向する両側面側の支持部２１に連結される第一の折り曲げ部２２１と、第二の折り曲げ部２２２とを有することを特徴とする。
製造工程において、図１７に示す例によれば、１枚の紙などの資材から、資材に切れ込み切断線および折り曲げ線をいれることにより、懸架部材２およびバッグ保持部２３を一体に製造し構成することができる。
なお、必ずしも図１７に示す形状や、切れ込み切断線の形態を採用しなくても、様々な大きさ、形状等の構成を採用することができることは、これまでにも述べた通りである。
【００４８】
図２０は、ドリップバッグ本体１に懸架部材２およびバッグ保持部２３が設けられた状態の一例を示す斜視図である。
掛止部２２をカップの周縁部に懸架させた状態で、ドリップバッグ本体１上部の開口部から飲料抽出のための湯などを注ぐことが可能にされている。
懸架部材２は、少なくとも掛止部２２がドリップバッグ本体１に固着されない構成を有し、支持部２１の一部又は全部とにおいてドリップバッグ本体１に固着されている。掛止部２２には、それぞれ切り欠き部２２０が設けられており、切り欠き部２２０をカップ５の周縁部に懸架することにより、ドリップバッグ本体１がカップ４内部の中空に保持される。
また、バッグ保持部２３の一部または全部とにおいてドリップバッグ本体に固着されるようにすることができる。
懸架部材２は、掛止部２２をカップの周縁部に懸架させた使用状態において、前記のバッグ保持部２３がドリップバッグ本体１をカップ内の適宜位置に保持し、特にバッグ保持部２３に設けられる第一の折り曲げ部２２１がカップの縁に接することによりドリップバッグ本体が、カップに懸架される掛止部２２とは反対の側に倒れたり、重みにより垂れ下がったりすることを防ぎ、垂直またはそれに近い状態に保持することができる。
これにより、ドリップバッグ本体１上部の開口部を開口状態に保持しつつ、開口部から飲料抽出のための湯などの飲料抽出用液体を注ぐことが可能である。
また、単にドリップバッグを安定させるのみならず、熱湯の注がれるドリップバッグ本体とカップとが直接接することがなくなるので、熱でガラスのカップが割れたりすることを防ぐ効果が生じる。
【００４９】
（支持部２１および掛止部２２）
以下、本発明の様々な実施形態において、懸架部材２が備える支持部２１および掛止部２２の様々な形態について説明する。
図２１から図２４は、懸架部材２がドリップバッグ本体１の表面に設けられたドリップバッグ全体の側面図である。
【００５０】
懸架部材２は、支持部２１においてドリップバッグ本体１と固着されている。掛止部２２はドリップバッグ本体とは固着されていない。
図２１から図２４は、懸架部材２とドリップバッグ本体１との固着箇所の様々な一例を示すものである。
図２１から図２４の各図においては、支持部２１のうち特に斜線部を固着箇所として示している。
固着箇所は、図２１のように細くしてもよいし、また図２２のように支持部全面にわたって固着させてもよい。図２３のように固着箇所を複数設けてもよい。図２３、および図２４は、懸架部材２の形状、および固着箇所の別の形態の一例を示すものである。懸架部材を大きくとることにより、ドリップバッグ本体をより強固に保持できるようにしている。
一方、ドリップバッグ本体１の表面から、通水濾過性シート部材を通してコーヒーが抽出されるので、固着面積を小さくすれば、抽出されやすくなる。
【００５１】
（その他の各実施形態）
図１４においても一例を示したが、掛止部２２、切り欠き部２２０等の上下方向の位置や、形状等を様々に構成することができる。
掛止部２２が備える切り欠き部２２０は、ドリップバッグ本体１に対する切り欠きの上端の上下方向や水平方向における位置関係により、掛止部２２をカップの周縁部に懸架させた使用状態において、ドリップバッグ本体１をカップ内の上下方向や水平方向における適宜位置に保持するように設けられることが望ましい。
懸架部材２のドリップバッグ本体１への固定は、掛止部２２の下端が、前記の支持部２１の下端より下部に位置することでもよい。
掛止部２２が備える切り欠き部２２０は、切り欠きの上端が、支持部２１の下端より下部に位置することでもよい。
図１４にも一例を示したように、掛止部に設けられた切り欠き部２２０の位置を下方に設けることにより、切り欠き部２２０をカップの周縁部に懸架した際にはドリップバッグ１全体が上方に持ち上げられて保持されることとなり、ドリップバッグ本体１が抽出されたカップ内の飲料には浸かりにくくなる。
【００５２】
支持部２１と掛止部２２を含む懸架部材２の上下方向の位置や、形状等についても、様々に構成することができる。
懸架部材２のドリップバッグ本体１への固定は、懸架部材２の上端が、ドリップバッグ本体１の上端に位置することでもよい。
懸架部材２の上端が、ドリップバッグ本体１の上端に位置するようにしても、コーヒーカップに掛止する切り欠き部２２０は懸架部材２の上端よりも下方に位置するように形成すれば、ドリップバッグ本体１内のコーヒー粉がカップの底部から高く持ち上がるので、コーヒー粉が浸出液で浸ることを避けることがより可能になる。本来のドリップ式コーヒーと同様に良好な香りと味のコーヒー浸出液を得ることが可能となる。
図２５は、懸架部材は、その上端が、ドリップバッグ本体の上端に位置する実施形態を示すドリップバッグ、およびドリップバッグをカップに懸架した状態を示す側面図である。
【００５３】
また、切り欠き部２２０を、上下方向の高さを変えて掛止部に複数箇所設けることにより、使用する者の好みやカップの大きさにより、カップに懸架させて使用する切り欠き部２２０を使い分け、ドリップバッグ本体１の平面方向や上下方向の位置を好みの位置に調整可能にすることもできる。
【００５４】
一方、懸架部材２のドリップバッグ本体１への固定は、懸架部材２の上端が、ドリップバッグ本体１の上端より下部に位置するように形成してもよい。
このようによれば、ドリップバッグ本体１内のコーヒー粉などがカップの底部から高く持ち上がるので、コーヒー粉などが浸出液で浸ることを避けられ、本来のドリップ式コーヒーなどと同様に良好な香りと味のコーヒーなどの飲料浸出液を得ることが可能となる。
図２６は、懸架部材は、その上端が、ドリップバッグ本体の上端より下部に位置する実施形態を示すドリップバッグ、およびドリップバッグをカップに懸架した状態を示す側面図である。
【００５５】
次に、ドリップバッグ本体１内のコーヒー粉などがカップの底部から高く持ち上げ、コーヒー粉などが浸出液で浸ることを避ける別の実施形態の一例としては、請求項９に記載したように、掛止部２２に設けられる切り欠き部２２０は、掛止部２２の下方に、ドリップバッグ本体の開口部１に対し垂直以外の角度を有して切り欠きが設けられるものである。
掛止部２２をカップの周縁部に懸架させ、ドリップバッグ本体を垂直に保持した場合よりもカップの底部から離れて保持した状態で、ドリップバッグ本体１上部の開口部から飲料抽出のための湯などを注ぐことが可能にされている。
図２７および図２８は、掛止部２２に設けられる切り欠き部２２０は、掛止部２２の下方に、ドリップバッグ本体１の開口部に対し垂直以外の角度を有し、ドリップバッグをカップの底部から離れて保持する状態を示す側面図である。
【００５６】
なお、本発明のドリップバッグの様々な実施形態の一例を示したが、たとえば、必要に応じてさらに掛止部２２あるいはバッグ保持部２３やその折り目の個数を増加させてもよい。
図２９は、懸架部材２がドリップバッグの掛止部とは水平方向で反対の、支持部の側において、ドリップバッグ本体１の両面の支持部が連結されている実施形態を示す側面図である。図３２において点線は折り目を示している。
図３０は、図２９に示される実施形態をコーヒーカップ５の上方から見下ろした平面図である。
【００５７】
請求項１３に記載したように、バッグ保持部とその第一および第二の折り目が、ドリップバッグの掛止部とは水平方向で反対の側においても設けられた実施形態を採用することもできる。
図３１は、本実施形態をカップ５の上方から見下ろした平面図である。
【００５８】
図３２は、切り欠き部２２０を備える掛止部と、バッグ保持部とその第一および第二の折り目が、対向するそれぞれの側に設けられた実施形態を示す側面図である。
図３３は、図３２に示される実施形態をカップ５の上方から見下ろした平面図である。
【００５９】
【発明の効果】
以上詳細に説明したように、本発明によれば、特別な器具を必要とすることなくカップに懸架して、ドリップバッグの開口部から湯を注ぐことにより、ドリップ式コーヒーなどの飲料をいれられるような、１回分のコーヒー粉などを入れた飲料抽出バッグを提供し、使用する際に係止部材を反対側に引き起こすことなく、直感的に使用法がわかるようにすることができる。
これにより、カップに懸架する部分を引き起こしたり、複雑な作業や細かい手順を経る使用法をすることなく、すぐにドリップバッグを使用することができる。
【００６０】
さらに本発明によれば、ドリップバッグの袋本体に固着されている支持体に係止部材が繰り抜かれた穴が開いてしまうことを防ぎ、残った支持体の、ドリップバッグ本体に固着する面積を自由に設計できるようにして、上の開口部から湯を注いで使用する際に袋本体の安定性を保つことができる。
これにより、本発明のドリップバッグにおいては、支持体の形状に制約が生まれることなく、さらに固着の工程や固着設備・手法の点においても制約が生まれることがない。
さらに、従来のドリップバッグのように、支持体から係止部材を繰り抜くようにして引き起こす際に誤って袋本体を破ってしまうおそれがない。
さらに使用状態においては、ドリップバッグ上部の開口部を開口した状態を保持させつつ安定させた状態を保てるようにすることができる。
さらに本発明によれば、使用状態においてドリップバッグを保持するバッグ保持部を設けることにより、ドリップバッグ本体をカップ内の適宜位置に保持し、掛止部とは反対の側に倒れたり、重みにより垂れ下がったりすることを防ぎ、垂直またはそれに近い状態に保持することが可能になる。
さらに本発明によれば、単にドリップバッグを安定させるのみならず、熱湯の注がれるドリップバッグ本体とカップとが直接接することがなくなるので、熱でガラスのカップが割れたりすることを防ぐ効果が生じる。
【図面の簡単な説明】
【図１】本発明のドリップバッグを構成する、ドリップバッグ本体１の表面に設けられる懸架部材２を示す図である。
【図２】懸架部材２がドリップバッグ本体１の表面に設けられたドリップバッグ全体の右側面図および左側面図である。
【図３】ドリップバッグ本体１の袋状の内部に、所定量のコーヒー粉が充填されているドリップバッグを示す図である。
【図４】開口したドリップバッグを上部の開口部から見下ろした平面図である。
【図５】開口したドリップバッグの使用状態を、上部の開口部から見下ろした平面図である。
【図６】開口したドリップバッグの使用状態を、斜め上方向から見下ろした斜視図である。
【図７】ドリップバッグ本体１の表面に設けられた懸架部材を示す図である。
【図８】懸架部材２がドリップバッグ本体１の表面に設けられたドリップバッグ全体の右側面図および左側面図である。
【図９】開口した第二の実施形態のドリップバッグを上部の開口部から見下ろした平面図である。
【図１０】開口したドリップバッグの使用状態を、上部の開口部から見下ろした平面図である。
【図１１】開口した第二の実施形態のドリップバッグの使用状態を、斜め上方向から見下ろした斜視図である。
【図１２】対向する両側面側の掛止部２２に連結される第一の折り曲げ部を、掛止部２２に接して固着されるように形成した状態を示す図である。
【図１３】対向する両側面側の掛止部２２に連結される第一の折り曲げ部を、掛止部２２に接して固着されるように形成した状態を示す図である。
【図１４】本発明の別の実施形態における懸架部材をドリップバッグ本体１に設けた側面図である。
【図１５】第三の実施形態における懸架部材２およびバッグ保持部２３の、取り付けられる前の製造工程における一例を示す平面図である。
【図１６】第三の実施形態における懸架部材２およびバッグ保持部２３の、取り付けられた後の形態を示す斜視図である。
【図１７】第四の実施形態における懸架部材２およびバッグ保持部２３の、取り付けられる前の製造工程における平面図の一例を示している。
【図１８】ドリップバッグ本体１に懸架部材およびバッグ保持部２３が設けられた状態の一例を示す側面図である。
【図１９】ドリップバッグ本体１に懸架部材およびバッグ保持部２３が設けられた状態の一例を示す側面図である。
【図２０】ドリップバッグ本体１に懸架部材およびバッグ保持部２３が設けられた状態の一例を示す斜視図である
【図２１】懸架部材２がドリップバッグ本体１の表面に設けられたドリップバッグ全体の側面図である。
【図２２】懸架部材２がドリップバッグ本体１の表面に設けられたドリップバッグ全体の側面図である。
【図２３】懸架部材２がドリップバッグ本体１の表面に設けられたドリップバッグ全体の側面図である。
【図２４】懸架部材の上端が、ドリップバッグ本体の上端に位置する実施形態を示すドリップバッグ、およびドリップバッグをコーヒーカップに懸架した状態を示す側面図である。
【図２５】懸架部材の上端が、ドリップバッグ本体の上端より下部に位置する実施形態を示すドリップバッグ、およびドリップバッグをコーヒーカップに懸架した状態を示す側面図である。
【図２６】掛止部に設けられる切り欠き部が、掛止部の下方に、ドリップバッグ本体の開口部に対し垂直以外の角度を有し、ドリップバッグをカップの底部から離れて保持する状態を示す側面図である。
【図２７】前記の掛止部に設けられる切り欠き部が、掛止部の下方に、ドリップバッグ本体の開口部に対し垂直以外の角度を有し、ドリップバッグをカップの底部から離れて保持する状態を示す側面図である。
【図２８】懸架部材２がドリップバッグの掛止部とは水平方向で反対の、支持部の側において、ドリップバッグ本体１の両面の支持部が連結されている実施形態を示す側面図である。
【図２９】図２８に示される実施形態をコーヒーカップ５の上方から見下ろした平面図である。
【図３０】バッグ保持部とその第一および第二の折り目が、ドリップバッグの掛止部とは水平方向で反対の側においても設けられた実施形態をコーヒーカップ５の上方から見下ろした平面図である。
【図３１】切り欠き部２２０を備える掛止部と、バッグ保持部とその第一および第二の折り目が、対向するそれぞれの側に設けられた実施形態を示す側面図である。
【図３２】図３１に示される実施形態をコーヒーカップ５の上方から見下ろした平面図である。
【図３３】係止部を支持体から引き起こすようにした従来のドリップバッグの側面図である。
【図３４】係止部を支持体から引き起こすようにした従来のドリップバッグの側面図である。
【図３５】係止部を支持体から引き起こすようにした従来のドリップバッグの側面図および使用状態を示す図である。
【図３６】係止部を支持体から引き起こすようにした従来のドリップバッグの側面図および使用状態を示す図である。
【符号の説明】
１　ドリップバッグ本体
２　懸架部材
２１　支持部
２２　掛止部
２２０　切り欠き部
２３　バッグ保持部
４　コーヒー粉
５　コーヒーカップ
７　周縁部
【図１】
2004016280.tif 000003
【図２】
2004016280.tif 000004
【図３】
2004016280.tif 000005
【図４】
2004016280.tif 000006
【図５】
2004016280.tif 000007
【図６】
2004016280.tif 000008
【図７】
2004016280.tif 000009
【図８】
2004016280.tif 000010
【図９】
2004016280.tif 000011
【図１０】
2004016280.tif 000012
【図１１】
2004016280.tif 000013
【図１２】
2004016280.tif 000014
【図１３】
2004016280.tif 000015
【図１４】
2004016280.tif 000016
【図１５】
2004016280.tif 000017
【図１６】
2004016280.tif 000018
【図１７】
2004016280.tif 000019
【図１８】
2004016280.tif 000020
【図１９】
2004016280.tif 000021
【図２０】
2004016280.tif 000022
【図２１】
2004016280.tif 000023
【図２２】
2004016280.tif 000024
【図２３】
2004016280.tif 000025
【図２４】
2004016280.tif 000026
【図２５】
2004016280.tif 000027
【図２６】
2004016280.tif 000028
【図２７】
2004016280.tif 000029
【図２８】
2004016280.tif 000030
【図２９】
2004016280.tif 000031
【図３０】
2004016280.tif 000032
【図３１】
2004016280.tif 000033
【図３２】
2004016280.tif 000034
【図３３】
2004016280.tif 000035
【図３４】
2004016280.tif 000036
【図３５】
2004016280.tif 000037
【図３６】
2004016280.tif 000038